(57)【要約】【課題】移動局のユーザトラヒックの転送の負荷分散の効率を向上する。【解決手段】通信装置２は、移動局３のユーザデータを複数の通信回線７のいずれかで転送するデータ転送部３３と、データ転送部３３が識別可能な識別子と通信回線７との間の対応付け情報を記憶する記憶部３１と、複数の通信回線７の中から移動局３のユーザデータを転送する通信回線７を選択する回線選択部３４と、選択された通信回線７に対応付けられる識別子を特定する識別子特定部３４と、特定された識別子をユーザデータに加えてデータ転送部３３へ出力する識別子付加部３２を備える。【選択図】図４
2014057209.tif 000002
【特許請求の範囲】
【請求項１】
移動局装置のユーザデータを複数の通信回線のいずれかで転送するデータ転送部と、
前記データ転送部によって識別可能な複数の識別子と前記複数の通信回線との間の対応付け情報を記憶する記憶部と、
前記移動局装置との通信開始時に、前記複数の通信回線の中から前記移動局装置のユーザデータを転送する通信回線を選択する回線選択部と、
前記回線選択部により選択された通信回線に前記対応付け情報で対応付けられる前記識別子を特定する識別子特定部と、
前記識別子特定部により特定された識別子を前記ユーザデータに加えて前記データ転送部へ出力する識別子付加部と、
を備えることを特徴とする通信装置。
【請求項２】
回線選択部は、通信回線の状態に応じて前記移動局装置のユーザデータを転送する通信回線を選択する請求項１に記載の通信装置。
【請求項３】
前記複数の識別子は、前記通信装置に割り当てられた複数のアドレスであることを特徴とする請求項１又は２に記載の通信装置。
【請求項４】
ネットワークで接続される複数のコンピュータを備える通信システムであって、
移動局装置のユーザデータを複数の通信回線のいずれかで転送するデータ転送部と、
前記データ転送部によって識別可能な複数の識別子と前記複数の通信回線との間の対応付け情報を記憶する記憶部と、
前記移動局装置との通信開始時に、前記複数の通信回線の中から前記移動局装置のユーザデータを転送する通信回線を選択する回線選択部と、
前記回線選択部により選択された通信回線に前記対応付け情報で対応付けられる前記識別子を特定する識別子特定部と、
前記識別子特定部により特定された識別子を前記ユーザデータに加えて前記データ転送部へ出力する識別子付加部と、
を備えることを特徴とする通信システム。
【請求項５】
移動局装置のユーザデータを複数の通信回線のいずれかで転送する負荷分散装置によって識別可能な複数の識別子と前記複数の通信回線との間の対応付け情報を、記憶装置に記憶し、
前記移動局装置との通信開始時に、前記複数の通信回線の中から前記移動局装置のユーザデータを転送する通信回線を選択し、
選択された前記通信回線に前記対応付け情報で対応付けられる前記識別子を特定し、
特定された前記識別子を前記ユーザデータに加えて負荷分散装置へ出力する、
ことを特徴とする通信方法。
【発明の詳細な説明】
【技術分野】
【０００１】
本明細書で論じられる実施態様は、トラヒックの負荷分散技術に関する。
【背景技術】
【０００２】
移動局装置のユーザデータを転送する基地局装置は、ＩＰ（Internet Protocol: インターネットプロトコル）通信路によってゲートウエイ装置と接続される。
【０００３】
関連する技術として、少なくとも１つのアクセスポイント及び少なくとも１つのゲートウェイデバイスを含む移動体通信ネットワークにおける方法が知られている。この方法は、ネットワークコンポーネントによって、専用ベアラ信号のために必要とされるセキュリティの設定を決定するステップと、通信を確立するために必要とされるノードに前記決定を通信するステップを備える。この方法は、前記アクセスポイントによって、前記アクセスポイントと前記ゲートウェイデバイスとの間で必要なセキュアプロトコルを構成し又は選択するステップを備える。前記決定は、使用中の前記ネットワークの配置及び／又はネットワークオペレータポリシーのうちの１つ又は複数に基づいている。
【０００４】
他の関連する技術として、第一論理通信路内に設定された他基地局装置データを通すための通信パイプを示す識別情報と、第二論理通信路内に設定された他基地局装置データを通すための通信パイプを示す識別情報との組み合わせを転送テーブルに格納するテーブル生成手段を有する基地局装置が知られている。基地局装置は、受信されたデータに設定される通信パイプ識別情報及び転送テーブルに基づいて、この受信されたデータのうちの他基地局装置データを転送する。
【先行技術文献】
【特許文献】
【０００５】
【特許文献１】特表２０１１−５０４６６５号公報
【特許文献２】特開２００９−１１１６４１号公報
【発明の概要】
【発明が解決しようとする課題】
【０００６】
ＩＰ通信路を形成する物理的な回線の回線速度は、例えば10Mbps、100Mbps、1Gbps、10Gbpsの様に技術標準によって定められている。これらの回線を複数組み合わせることにより、基地局装置とゲートウエイ装置との間に所望の回線速度のＩＰ通信路を設けることができる。移動局装置のユーザトラヒックをＩＰ通信路で転送する場合、ユーザトラヒックの転送を分散できる回線数を増やすことにより、ＩＰ通信路を形成する回線の合計の回線速度にスループットを近づけることができる。
【０００７】
本明細書に開示される装置又は方法は、移動局装置のユーザトラヒックの転送の負荷分散の効率を向上することを目的とする。
【課題を解決するための手段】
【０００８】
装置の一観点によれば、通信装置が与えられる。通信装置は、移動局装置のユーザデータを複数の通信回線のいずれかで転送するデータ転送部と、データ転送部によって識別可能な複数の識別子と複数の通信回線との間の対応付け情報を記憶する記憶部と、移動局装置との通信開始時に、複数の通信回線の中から移動局装置のユーザデータを転送する通信回線を選択する回線選択部と、回線選択部により選択された通信回線に対応付け情報で対応付けられる識別子を特定する識別子特定部と、識別子特定部により特定された識別子をユーザデータに加えてデータ転送部へ出力する識別子付加部を備える。
【０００９】
装置の他の一観点によれば、ネットワークで接続される複数のコンピュータを備える通信システムが与えられる。通信システムは、移動局装置のユーザデータを複数の通信回線のいずれかで転送するデータ転送部と、データ転送部によって識別可能な複数の識別子と複数の通信回線との間の対応付け情報を記憶する記憶部と、移動局装置との通信開始時に、複数の通信回線の中から移動局装置のユーザデータを転送する通信回線を選択する回線選択部と、回線選択部により選択された通信回線に対応付け情報で対応付けられる識別子を特定する識別子特定部と、識別子特定部により特定された識別子をユーザデータに加えてデータ転送部へ出力する識別子付加部を備える。
【００１０】
方法の一観点によれば、通信方法が与えられる。通信方法は、移動局装置のユーザデータを複数の通信回線のいずれかで転送する負荷分散装置によって識別可能な複数の識別子と複数の通信回線との間の対応付け情報を、記憶装置に記憶することと、移動局装置との通信開始時に、複数の通信回線の中から移動局装置のユーザデータを転送する通信回線を選択することと、選択された通信回線に対応付け情報で対応付けられる識別子を特定することと、特定された識別子を前記ユーザデータに加えて負荷分散装置へ出力することを含む。
【発明の効果】
【００１１】
本明細書に開示される装置又は方法によれば、移動局装置のユーザトラヒックの転送の負荷分散の効率が向上する。
【図面の簡単な説明】
【００１２】
【図１】通信システムの全体構成例を示す図である。
【図２】基地局装置のハードウエア構成の一例を示す図である。
【図３】ＭＭＥ／ＳＧＷ（Mobility Management Entity/ Serving Gateway）装置のハードウエア構成の一例を示す図である。
【図４】基地局装置、ＭＭＥ／ＳＧＷ装置、ＩＰＳｅｃ（Security Architecture for Internet Protocol）ゲートウエイ装置及びルータ装置の機能構成の第１例を示す図である。
【図５】転送先テーブルの一例の説明図である。
【図６】アドレステーブルの一例の説明図である。
【図７】基地局装置における動作の一例の説明図である。
【図８】回線状態テーブルの一例の説明図である。
【図９】負荷状態テーブルの一例の説明図である。
【図１０】アクセス回線の決定動作の一例の説明図である。
【図１１】基地局装置、ＭＭＥ／ＳＧＷ装置、ＩＰＳｅｃゲートウエイ装置及びルータ装置の機能構成の変形例を示す図である。
【図１２】基地局装置、ＭＭＥ／ＳＧＷ装置、ＩＰＳｅｃゲートウエイ装置及びルータ装置の機能構成の第２例を示す図である。
【図１３】アドレス関連付けテーブルの一例の説明図である。
【図１４】ＭＭＥ／ＳＧＷ装置、ＩＰＳｅｃゲートウエイ装置及びルータ装置における動作の一例の説明図である。
【発明を実施するための形態】
【００１３】
＜１．ハードウエア構成＞
以下、添付する図面を参照して好ましい実施例について説明する。図１は、通信システムの全体構成例を示す図である。通信システム１は、基地局装置２と、移動局装置３ａ及び３ｂと、ＭＭＥ／ＳＧＷ装置４と、ＩＰＳｅｃＧＷ装置５と、ルータ装置６と、アクセス回線７ａ、…７ｂと、上位ネットワーク８を備える。以下、３ＧＰＰ（Third Generation Partnership Project）で検討されるＬＴＥ(Long Term Evolution)の例示を用いて、通信システム１の説明を行う。但し、本明細書に開示される装置及び方法は、移動局装置のユーザデータの転送を複数の通信回線の間で負荷分散する通信装置を備える移動通信システムであれば他の方式の移動通信システムでも適用可能である。
【００１４】
なお、添付する図面及び以下の説明において基地局装置、移動局装置、ＭＭＥ／ＳＧＷ装置と、ＩＰＳｅｃＧＷ装置及びルータ装置を、それぞれ「基地局」、「移動局」、「ＭＭＥ／ＳＧＷ」、「ＩＰＳｅｃＧＷ」及び「ルータ」と表記することがある。また、移動局３ａ及び３ｂ、並びにアクセス回線７ａ、…７ｂを総称してそれぞれ「移動局３」及び「アクセス回線７」と表記することがある。
【００１５】
基地局２は、移動通信サービスを受けるユーザの移動局３と地上側の有線通信網との間の通信を所定の無線通信規格に従って中継する。ＭＭＥ／ＳＧＷ４は、上位ネットワーク８とアクセス回線７との間の移動局３のユーザパケットの転送を行う。ＭＭＥ／ＳＧＷ４はまた、移動局３の位置登録や着信時の呼び出し処理、無線基地局間ハンドオーバ等のモビリティ管理を行う。
【００１６】
ＩＰＳｅｃＧＷ装置５は、ＭＭＥ／ＳＧＷ４に対して設けられ、基地局２とＭＭＥ／ＳＧＷ４との間のユーザパケットのＩＰＳｅｃ通信におけるＭＭＥ／ＳＧＷ４側の暗号化及び復号化処理を行う。基地局２とルータ装置６は、ＩＰ通信路である複数のアクセス回線７ａ、…７ｂにより接続され、基地局２とＭＭＥ／ＳＧＷ４との間のユーザパケットの転送をこれらのアクセス回線７ａ、…７ｂの間で負荷分散する。
【００１７】
＜１．１．基地局のハードウエア構成＞
続いて、図２を参照して基地局２のハードウエア構成の一例を説明する。基地局２は、プロセッサ１０と、補助記憶装置１１と、メモリ１２と、ベースバンド処理回路１３と、無線周波数信号処理回路１４と、ネットワークインタフェース回路１５を備える。なお、以下の説明及び添付図面において、ベースバンド、無線周波数及びネットワークインタフェースをそれぞれ「ＢＢ」、「ＲＦ」及び「ＮＩＦ」と表記することがある。
【００１８】
プロセッサ１０は、下記のＢＢ処理回路１３が行う処理以外のユーザ管理処理や基地局２の動作制御を行う。補助記憶装置１１には、プロセッサ１０による信号処理のための制御プログラムやこのプログラムの実行中に使用されるデータが格納される。補助記憶装置１１は、コンピュータプログラムやデータを記憶するための、不揮発性記憶装置や、読み出し専用メモリ（ROM: Read Only Memory）やハードディスクなどを含んでいてよい。
【００１９】
メモリ１２には、プロセッサ１０が現在実行中のプログラムや、このプログラムによって一時的に使用されるデータが記憶される。メモリ１２は、ランダムアクセスメモリ（RAM: Random Access Memory）を含んでいてよい。ＢＢ処理回路１３は、基地局２及び移動局３との間で送受信される信号の符号化及び変調、並びに復調及び復号化、通信プロトコル処理、スケジューリングに関するＢＢ信号の処理を実施する。ＢＢ処理回路１３は、信号処理のためのプロセッサや、プロセッサの動作に使用されるプログラム及びデータを格納するためのメモリを備えていてもよい。またＢＢ処理回路１３は、信号処理のためのLSI（large scale integration）やASIC（Application Specific Integrated Circuit）、FPGA（Field-Programming Gate Array）等の論理回路を備えていてもよい。
【００２０】
ＲＦ信号処理回路１４は、基地局２と移動局３との間で送受信される無線信号のデジタルアナログ変換、アナログデジタル変換、周波数変換、信号増幅及びフィルタリングを行う。ＮＩＦ回路１５は、ＭＭＥ／ＳＧＷ４との通信インタフェース処理や他の基地局との通信インタフェース処理を行う。
【００２１】
＜１．１．ＭＭＥ／ＳＧＷ、ＩＰＳｅｃＧＷ、ルータのハードウエア構成＞
次に、図３を参照してＭＭＥ／ＳＧＷ４のハードウエア構成の一例を説明する。ＭＭＥ／ＳＧＷ４は、プロセッサ２０と、補助記憶装置２１と、メモリ２２と、ＮＩＦ回路２３を備える。プロセッサ２０は、移動局３の位置登録や着信時の呼び出し処理、無線基地局間ハンドオーバ等のモビリティ管理等の処理を行う。
【００２２】
補助記憶装置２１には、プロセッサ２０による上記処理のための制御プログラムやこのプログラムの実行中に使用されるデータが格納される。補助記憶装置２１は、コンピュータプログラムやデータを記憶するための、不揮発性記憶装置や、読み出し専用メモリやハードディスクなどを含んでいてよい。メモリ２２には、プロセッサ２０が現在実行中のプログラムや、このプログラムによって一時的に使用されるデータが記憶される。メモリ２２は、ランダムアクセスメモリを含んでいてよい。ＮＩＦ回路２３は、基地局２との通信インタフェース処理や、上位ネットワーク８との通信インタフェース処理を行う。
【００２３】
ＩＰＳｅｃＧＷ５及びルータ６のハードウエア構成は、ＭＭＥ／ＳＧＷ４のハードウエア構成と同様であってよい。なお、図２及び図３に示すハードウエア構成は実施例の説明のための例示にすぎない。以下に記載される動作を実行するものであれば、本明細書に記載される通信システムは、他のどのようなハードウエア構成を採用してもよい。
【００２４】
＜２．第１実施例＞
＜２．１．機能構成＞
続いて、上記ハードウエア構成によって実現される機能について説明する。図４は、基地局２、ＭＭＥ／ＳＧＷ４、ＩＰＳｅｃＧＷ５及びルータ６の機能構成の第１例を示す図である。なお、図４の機能構成図は、基地局２、ＭＭＥ／ＳＧＷ４、ＩＰＳｅｃＧＷ５及びルータ６について本明細書において以下に説明される機能に関係する構成を中心に示している。基地局２、ＭＭＥ／ＳＧＷ４、ＩＰＳｅｃＧＷ５及びルータ６は、図示の構成要素以外の他の構成要素を含んでいてよい。図１１及び図１２の機能構成図についても同様である。
【００２５】
基地局２は、呼制御部３０と、テーブル格納部３１と、暗号化処理部３２と、パケット転送部３３と、負荷分散処理部３４を備える。ＭＭＥ／ＳＧＷ４は、呼制御部４０と、パケット処理部４１を備える。ＩＰＳｅｃＧＷ５は、暗号化処理部４２を備える。ルータ６はパケット転送部４３を備える。
【００２６】
基地局２の呼制御部３０と、ＭＭＥ／ＳＧＷ４の呼制御部４０は、移動局３のトラヒックの呼制御を実行する。移動局３による通信を開始する際に、呼制御部３０及び４０は移動局３による呼接続要求に従って呼接続動作を開始し、移動局３のユーザデータの転送に使用するユーザプレーン（U-plane）ベアラを確立する。
【００２７】
U-planeベアラを確立する際に呼制御部３０及び４０は、U-planeベアラ毎に、それぞれ基地局２とＭＭＥ／ＳＧＷ４のＩＰアドレスを、移動局３のユーザパケットの送信元アドレスとして交換する。基地局２のパケット転送部３３とＭＭＥ／ＳＧＷ４のパケット処理部４１は、これらのアドレス設定情報を用いてアクセス回線７を経由するU-planeベアラ通信を実行する。
【００２８】
基地局２のパケット転送部３３とルータ６のパケット転送部４３は、複数のアクセス回線７ａ、…７ｂの間で移動局３のユーザデータの転送を分散する負荷分散処理を実行する。基地局２の暗号化処理部３２とＩＰＳｅｃＧＷ５の暗号化処理部４２は、ＩＰＳｅｃセッションを確立し、ＩＰＳｅｃ暗号化通信によって移動局３のユーザデータを送受信する。
【００２９】
基地局２の負荷分散処理部３４は、移動局３のU-planeベアラの確立時に、移動局３のユーザデータの転送に使用するアクセス回線７を決定する。また、負荷分散処理部３４は、各アクセス回線７にそれぞれ対応付けられることによりパケット転送部３３の負荷分散処理に使用可能な複数の識別子情報の中から、決定したアクセス回線７に対応付けられた識別子情報を特定する。負荷分散処理部３４は、特定した識別子情報を、移動局３のユーザデータの転送に使用されるアクセス回線７を負荷分散処理で選択するための識別子情報として指定する。
【００３０】
テーブル格納部３１は、例えば、各アクセス回線７と識別子情報とを対応付ける対応付け情報として、図５に示す転送先テーブル５０を記憶していてもよい。負荷分散処理部３４は、転送先テーブル５０を参照することにより、移動局３のユーザデータを転送に使用するアクセス回線７に対応付けられた識別子情報を特定する。
【００３１】
図５の転送先テーブル５０の例は、負荷分散処理に使用される識別子情報として、基地局２に割り当てられた複数のＩＰアドレスを利用する。基地局２のＩＰアドレスは、ユーザパケットのＩＰヘッダに送信元アドレスとして設定され、パケット転送部３３による負荷分散処理において転送先の各アクセス回線７の選択に使用される。
【００３２】
転送先テーブル５０は、情報要素「識別子」、「送信回線」及び「受信回線」を有する。情報要素「識別子」は、基地局２に割り当てられた複数のＩＰアドレスのいずれかを示す。情報要素「送信回線」は、各ＩＰアドレスを送信元に持つユーザパケットの転送に使用するアクセス回線７を指定する。情報要素「受信回線」は、ルータ６のパケット転送部４３が、各ＩＰアドレスを送信先に持つユーザパケットをどのアクセス回線７で転送するかを示す。
【００３３】
例えば、転送先テーブル５０の第２行は、パケット転送部３３による負荷分散処理において、基地局２に割当てられたＩＰアドレス「１０．０．０．２」を送信元に持つユーザパケットがアクセス回線７ａに転送されることを示す。また、パケット転送部４３による負荷分散処理において、ＩＰアドレス「１０．０．０．２」を送信先に持つユーザパケットはアクセス回線７ｂに転送される。転送先テーブル５０は、例えば、ネットワーク設計者が設定することによって与えられる。以下の説明では、負荷分散処理に使用される識別子情報として、基地局２に割り当てられたＩＰアドレスを利用する例示を使用する。
【００３４】
呼接続動作の際に呼制御部３０は、移動局３のU-planeベアラが設定される基地局２のＩＰアドレスを、ＭＭＥ／ＳＧＷ４の呼制御部４０に通知する。このため呼制御部３０は、移動局３のU-planeベアラに使用する基地局２のＩＰアドレスを負荷分散処理部３４に照会する。
【００３５】
基地局２のＩＰアドレスの照会を受けた負荷分散処理部３４は、移動局３のU-planeベアラにおけるデータ転送に使用するアクセス回線７を決定する。負荷分散処理部３４は、アクセス回線７に対応するＩＰアドレスを転送先テーブル５０から検索して呼制御部３０へ出力する。
【００３６】
呼制御部３０は、負荷分散処理部３４から取得したＩＰアドレスを呼制御部４０に通知する。呼制御部３０は、移動局３のU-planeベアラが設定されるＭＭＥ／ＳＧＷ４の呼制御部４０から、ＭＭＥ／ＳＧＷ４のＩＰアドレスを受信する。呼制御部３０は、負荷分散処理部３４から取得したＩＰアドレスと、移動局３の識別子と、ＭＭＥ／ＳＧＷ４のＩＰアドレスをテーブル格納部３１に格納する。
【００３７】
テーブル格納部３１は、例えば、負荷分散処理部３４が移動局３に対して指定した基地局２のＩＰアドレスと、移動局３と、ＭＭＥ／ＳＧＷ４のＩＰアドレスを対応付けるアドレステーブル５１を記憶してよい。図６は、アドレステーブル５１の一例の説明図である。アドレステーブル５１は、情報要素「移動局識別子」、「識別子」及び「ＭＭＥ／ＳＧＷアドレス」を有する。
【００３８】
情報要素「移動局識別子」は、移動局３に割り当てられる識別子を示す。情報要素「識別子」は、負荷分散処理部３４が移動局３に対して指定した基地局２のＩＰアドレスを示す。情報要素「ＭＭＥ／ＳＧＷアドレス」は、移動局３のU-planeベアラが設定されるＭＭＥ／ＳＧＷ４のＩＰアドレスを示す。
【００３９】
例えば、アドレステーブル５１の第１行は、識別子「移動局Ａ」が割り当てられた移動局３に対して負荷分散処理部３４が、基地局２のＩＰアドレス「１０．０．０．２」を指定したことを示す。また、この移動局３のU-planeベアラが設定されるＭＭＥ／ＳＧＷ４のＩＰアドレスは「３０．０．０．１」である。
【００４０】
暗号化処理部３２は、移動局３から受信したユーザデータを暗号化し、暗号化されたユーザデータをパケットに格納する。暗号化処理部３２は、移動局３に対して指定された基地局２のＩＰアドレスをアドレステーブル５１から検索し、送信元アドレスとしてパケットのＩＰヘッダに設定する。
【００４１】
暗号化処理部３２は、移動局３のU-planeベアラが設定されるＭＭＥ／ＳＧＷ４のＩＰアドレスを、アドレステーブル５１から検索する。暗号化処理部３２は、検索されたＩＰアドレスのＭＭＥ／ＳＧＷ４のＩＰｓｅｃ通信のためのＩＰＳｅｃ処理を行うＩＰＳｅｃＧＷ５のＩＰアドレスを、送信先アドレスとしてパケットのＩＰヘッダに設定する。暗号化処理部３２は、暗号化されたユーザデータが格納されたパケットをパケット転送部３３へ送信する。
【００４２】
パケット転送部３３は、暗号化処理部３２から受信したパケットの平文のＩＰヘッダに格納された情報に基づいて、アクセス回線７ａ、…７ｂの間でパケットの転送を分散する負荷分散処理を行う。
【００４３】
＜２．２．動作説明＞
続いて、基地局２の動作を説明する。図７は、基地局２における動作の一例の説明図である。図７を参照して説明する一連の動作は複数の手順を含む方法と解釈してもよい。この場合に「オペレーション」を「ステップ」と読み替えてもよい。図１０及び図１４に示す動作も同様である。
【００４４】
移動局３による呼接続要求が発生した場合、オペレーションＡＡにおいて呼制御部３０は、ＭＭＥ／ＳＧＷ４の呼制御部４０とともに呼接続動作を開始する。呼制御部３０は、移動局３のユーザデータを基地局２から送信する際に送信元アドレスとして使用する基地局２のＩＰアドレスを、負荷分散処理部３４に照会する。
【００４５】
オペレーションＡＢにおいて負荷分散処理部３４は、移動局３のユーザデータの転送に使用するアクセス回線７を決定する。オペレーションＡＣにおいて負荷分散処理部３４は、アクセス回線７に対応するＩＰアドレスを転送先テーブル５０から検索し、基地局２のＩＰアドレスとして指定する。オペレーションＡＤにおいて呼制御部３０は、呼制御部４０との間で基地局２のＩＰアドレスとＭＭＥ／ＳＧＷ４のＩＰアドレスを交換する。オペレーションＡＥにおいて呼制御部３０は、呼接続動作の残りの動作を実行し呼接続動作を完了する。
【００４６】
移動局３からユーザデータが到来すると、オペレーションＡＦにおいて暗号化処理部３２は、ユーザデータを暗号化し、暗号化されたユーザデータをパケットに格納する。暗号化処理部３２は、基地局２のＩＰアドレスを送信元アドレスとしてパケットのＩＰヘッダに設定する。暗号化処理部３２は、ＭＭＥ／ＳＧＷ４のＩＰＳｅｃＧＷ５のＩＰアドレスを、送信先アドレスとしてパケットのＩＰヘッダに設定する。オペレーションＡＧにおいてパケット転送部３３は、暗号化されたユーザデータを格納するパケットのＩＰヘッダ情報に基づいて、このパケットの転送の分散処理を行う。
【００４７】
続いて、オペレーションＡＢにおける負荷分散処理部３４によるアクセス回線７の決定動作について説明する。負荷分散処理部３４は、アクセス回線７の状態に応じて移動局３のユーザデータの転送に使用するアクセス回線７を決定してよい。
【００４８】
例えば負荷分散処理部３４は、アクセス回線７が稼働状態であるか停止状態であるかに応じて、移動局３のユーザデータの転送に使用するアクセス回線７を決定してよい。このため、テーブル格納部３１は、アクセス回線７の状態を記録するための回線状態テーブル５２を記憶してよい。
【００４９】
図８は、回線状態テーブル５２の一例の説明図である。回線状態テーブル５２は、情報要素「回線」、「接続状態」、「登録状態」及び「稼働状態」を備える。情報要素「回線」は、各アクセス回線７の識別子を示す。情報要素「接続状態」は、各アクセス回線７の物理リンクの接続状態を示す。物理リンクが確立している場合の情報要素「接続状態」の値は「接続中」であり、物理リンクが確立していない場合の情報要素「接続状態」の値は「切断中」である。
【００５０】
情報要素「登録状態」は、各アクセス回線７が、転送先テーブル５０の情報要素「送信回線」及び「受信回線」に登録されているか否かを示す。情報要素「稼働状態」は、各アクセス回線７が稼働中であるか停止中であるかを示す。情報要素「接続状態」の値が「切断中」であり情報要素「登録状態」の値が「登録あり」の場合に情報要素「稼働状態」は値「稼働中」を持ち、それ以外の場合には値「停止中」を持つ。
【００５１】
例えば回線状態テーブル５２の第１行は、アクセス回線７ａの物理リンクが確立しており、また転送先テーブル５０に登録されているため、アクセス回線７ａが稼働中であることを示す。第２行は、アクセス回線７ｂの物理リンクが確立していないため、アクセス回線７ｂが停止中であることを示す。第３行は、アクセス回線７ｃが転送先テーブル５０に登録されていないため、アクセス回線７ｃが停止中であることを示す。
【００５２】
負荷分散処理部３４は、回線状態テーブル５２を参照し、対象のアクセス回線７について記録された情報要素「稼働状態」の値が「稼働中」及び「停止中」であるとき、対象のアクセス回線７がそれぞれ稼働中及び停止中であると判断する。なお、他の回線状態テーブル５２の実施例は、送信回線及び受信回線毎に情報要素「登録状態」及び「稼働状態」を独立して持っていてもよい。負荷分散処理部３４は、送信回線として使用するか受信回線として使用するかに応じて、アクセス回線７の稼働状態を独立して判断してもよい。
【００５３】
また、例えば負荷分散処理部３４は、対象のアクセス回線７の負荷が、他の回線の負荷と比べて高くアンバランスであるか否かに応じて、移動局３のユーザデータの転送に使用するアクセス回線７を決定してよい。このため、テーブル格納部３１は、アクセス回線７の負荷状態を記録するための負荷状態テーブル５３を記憶してよい。
【００５４】
図９は、負荷状態テーブル５３の一例の説明図である。負荷状態テーブル５３は、情報要素「回線」及び「負荷状態」を有する。情報要素「回線」は、各アクセス回線７の識別子を示す。情報要素「接続状態」は、各アクセス回線７の負荷状態を示す。対象のアクセス回線７の負荷が他の回線の負荷より高くアンバランスである場合には、情報要素「接続状態」は値「アンバランス状態」を有する。それ以外の場合に情報要素「接続状態」は値「バランス状態」を有する。
【００５５】
負荷分散処理部３４は、各アクセス回線７の負荷状態を測定し、負荷状態テーブル５３を更新する。負荷分散処理部３４による負荷状態テーブル５３の更新処理の例を以下に示す。
【００５６】
負荷分散処理部３４は、更新対象のアクセス回線７の使用中の帯域Ｕｅと、稼働中の全アクセス回線７の使用中の帯域の合計Ｕａを測定する。また、更新対象のアクセス回線７の回線全帯域をＢｅと表記し、稼働中の全アクセス回線７の回線全帯域の合計をＢａと表記する。負荷分散処理部３４は次式（１）が成立するとき、更新対象のアクセス回線７の負荷状態をバランス状態からアンバランス状態に変更する。なお、Ｔｈ１は所定の閾値である。
【００５７】
Ｕｅ／Ｕａ  ＞  Ｂｅ／Ｂａ×（１＋Ｔｈ１）      （１）
【００５８】
一方で、負荷分散処理部３４は次式（２）が成立するとき、更新対象のアクセス回線７の負荷状態をアンバランス状態からバランス状態に変更する。なお、Ｔｈ２は、Ｔｈ１以下の所定の閾値である。
【００５９】
Ｕｅ／Ｕａ  ≦  Ｂｅ／Ｂａ×（１＋Ｔｈ２）      （２）
【００６０】
図１０を参照して、負荷分散処理部３４によるアクセス回線の決定動作を説明する。オペレーションＢＡにおいて負荷分散処理部３４は、ラウンドロビン方式によって受信回線候補を選択する。負荷分散処理部３４は、順序付けされたアクセス回線７の中から、前回実行されたオペレーションＢＡで選択されたアクセス回線７の次の順序のアクセス回線７を、受信回線候補として選択する。
【００６１】
オペレーションＢＢにおいて負荷分散処理部３４は、受信回線候補が稼働中であるか否かを判断する。受信回線候補が稼働中である場合（オペレーションＢＢ：Ｙ）に動作はオペレーションＢＣへ進む。受信回線候補が稼働中でない場合（オペレーションＢＢ：Ｎ）に動作はオペレーションＢＡへ戻る。
【００６２】
オペレーションＢＣにおいて負荷分散処理部３４は、受信回線候補がアンバランス状態であるか否かを判断する。受信回線候補がアンバランス状態でない場合（オペレーションＢＣ：Ｎ）に動作はオペレーションＢＤへ進む。受信回線候補がアンバランス状態である場合（オペレーションＢＣ：Ｙ）に動作はオペレーションＢＡへ戻る。オペレーションＢＤにおいて負荷分散処理部３４は、現在選択中の受信回線候補を、移動局３のユーザデータの受信回線として決定する。その後に動作はオペレーションＢＥへ進む。
【００６３】
オペレーションＢＥにおいて負荷分散処理部３４は、ラウンドロビン方式によって送信回線候補を選択する。負荷分散処理部３４は、アクセス回線７の中から、前回実行されたオペレーションＢＥで選択されたアクセス回線７の次の順序のアクセス回線７を、送信回線候補として選択する。
【００６４】
オペレーションＢＦにおいて負荷分散処理部３４は、送信回線候補が稼働中であるか否かを判断する。送信回線候補が稼働中である場合（オペレーションＢＦ：Ｙ）に動作はオペレーションＢＧへ進む。送信回線候補が稼働中でない場合（オペレーションＢＦ：Ｎ）に動作はオペレーションＢＥへ戻る。
【００６５】
オペレーションＢＧにおいて負荷分散処理部３４は、送信回線候補がアンバランス状態であるか否かを判断する。送信回線候補がアンバランス状態でない場合（オペレーションＢＧ：Ｎ）に動作はオペレーションＢＨへ進む。送信回線候補がアンバランス状態である場合（オペレーションＢＧ：Ｙ）に動作はオペレーションＢＥへ戻る。オペレーションＢＨにおいて負荷分散処理部３４は、現在選択中の送信回線候補を、移動局３のユーザデータの送信回線として決定する。その後に動作は終了する。
【００６６】
なお、呼制御部３０及び負荷分散処理部３４の上記動作は、図２に示すプロセッサ１０によって実行される。暗号化処理部３２及びパケット転送部３３の上記動作は、図２に示すＮＩＦ回路１５によって実行される。また、呼制御部４０の上記動作は図３に示すプロセッサ２０によって実行される。パケット処理部４１の上記動作は、図３に示すＮＩＦ回路２３によって実行される。暗号化処理部４２はＩＰＳｅｃＧＷ５が備えるプロセッサによって実行される。パケット転送部４３の上記動作は、ルータ６が備えるプロセッサ及びＮＩＦ回路が協働することによって実行される。転送先テーブル５０、アドレステーブル５１、回線状態テーブル５２及び負荷状態テーブル５３の記憶領域は、補助記憶装置１１又はメモリ１２内に設けられる。
【００６７】
＜２．３．実施例の効果＞
本実施例によれば、複数の識別子情報の中から移動局３のU-planeベアラ毎に指定した識別子情報に基づいて、移動局３のユーザデータの転送を複数のアクセス回線で分散する負荷分散処理が可能となる。このため、識別子情報の数を増やすことにより分散先の回線数を増やすことができるため、移動局３のユーザデータの転送の負荷分散の効率が向上する。
【００６８】
基地局２に複数のＩＰアドレスを割当て、負荷分散処理に使用する識別子情報として基地局２のＩＰアドレスを利用することにより、基地局２とＭＭＥ／ＳＧＷ４とのＩＰＳｅｃ通信において暗号化されないＩＰヘッダに識別子情報を格納することが可能となる。このため、基地局２とＭＭＥ／ＳＧＷ４との間でＩＰＳｅｃ通信が行われる場合においても、U-planeベアラ毎に指定した識別子情報に基づいて負荷分散処理を行い、移動局３のユーザデータの負荷分散の効率を向上することが可能となる。
【００６９】
また、基地局２のＩＰアドレスはＭＭＥ／ＳＧＷ４に通知され、ＭＭＥ／ＳＧＷ４から送信されるユーザパケットの送信先アドレスとして使用される。このため、基地局２のＩＰアドレスは、対向装置のルータ６が移動局３のユーザデータを基地局２へ転送する際の負荷分散処理にも利用できる。したがって、基地局２の対向装置による移動局３のユーザデータの転送の負荷分散の効率も向上する。
【００７０】
また、アクセス回線７の稼働状態を判断し、稼働状態に応じて移動局３のユーザデータの転送に使用するアクセス回線７を決定することにより通信障害が防止され、移動局３のユーザデータの転送のスループット低下を低減する。また、アクセス回線の負荷状態に応じてアクセス回線７を決定することにより、一部のアクセス回線７にトラヒックが集中することによるオーバフローが回避される。
【００７１】
また、図１０を参照して説明したように、負荷分散処理部３４は、アクセス回線７の稼働状態及び負荷状態に応じて受信回線に使用される回線を選択し、選択された受信回線に応じて負荷分散処理に使用される識別子情報を指定する。このため、対向装置のルータ６における負荷分散処理にこの識別子情報が使用される場合にも、受信回線の通信障害やオーバフローが回避される。
【００７２】
＜２．４．変形例＞
上述の実施例は、基地局２とＭＭＥ／ＳＧＷ４との間でＩＰＳｅｃ通信を実施するが、他の実施例は、ＩＰＳｅｃ通信をしなくてもよい。この場合に、図１１に示すように、ＩＰＳｅｃＧＷ５が省略される。また、暗号化処理部３２に代えて又は加えてパケット生成部３５が基地局２に設けられる。パケット生成部３５は、移動局３から受信したユーザデータを格納するパケットを生成し、基地局２及びＭＭＥ／ＳＧＷ４のＩＰアドレスをそれぞれ送信元アドレス及び送信先アドレスとして、パケットのＩＰヘッダに設定する。なお、パケット生成部３５の上記動作は、図２に示すＮＩＦ回路１５によって実行される。
【００７３】
また上述の実施例は、負荷分散処理に使用する識別子情報として基地局２のＩＰアドレスを利用するが、他の実施例では、基地局２のＩＰアドレス以外の識別子情報を利用してもよい。例えば、負荷分散処理に使用する識別子情報は、パケットのＩＰヘッダに拡張情報として設定される情報でもよい。
【００７４】
＜３．第２実施例＞
続いて、通信システム１の第２実施例について説明する。第２実施例では、ＩＰＳｅｃＧＷ５に複数のアドレスを割当て、負荷分散処理に使用される識別子情報として利用する。図１２は、基地局２、ＭＭＥ／ＳＧＷ４、ＩＰＳｅｃＧＷ５及びルータ６の機能構成の第２例を示す図である。図４に示す構成要素と同様の構成要素には図４で使用した参照符号と同じ参照符号を付し、同一の機能については説明を省略する。
【００７５】
ＭＭＥ／ＳＧＷ４は、負荷分散処理部４４を備える。負荷分散処理部４４は、移動局３のU-planeベアラの確立時に、移動局３のユーザデータの転送に使用するアクセス回線７を決定する。また、負荷分散処理部４４は、ＭＭＥ／ＳＧＷ４に割り当てられた複数のＩＰアドレスの中から、決定したアクセス回線７に対応付けられた識別子情報を特定する。ＭＭＥ／ＳＧＷ４は、各アクセス回線７とＭＭＥ／ＳＧＷ４のＩＰアドレスとを対応付ける対応付け情報として、図５に示す転送先テーブル５０と同様のテーブルを記憶していてもよい。
【００７６】
呼接続動作の際に呼制御部４０は、移動局３のU-planeベアラが設定されるＭＭＥ／ＳＧＷ４のＩＰアドレスを、基地局２の呼制御部３０に通知する。このため呼制御部４０は、移動局３のU-planeベアラに使用するＭＭＥ／ＳＧＷ４のＩＰアドレスを負荷分散処理部４４に照会する。
【００７７】
ＭＭＥ／ＳＧＷ４のＩＰアドレスの照会を受けた負荷分散処理部４４は、移動局３のU-planeベアラにおけるデータ転送に使用するアクセス回線７を決定する。アクセス回線７を決定方法は、図１０を参照して説明した方法と同様であってよい。負荷分散処理部４４は、各アクセス回線７を経由する試験通信を行い、各アクセス回線７の物理リンクの接続状態を検出してもよい。試験通信は例えばｐｉｎｇ等であってよい。負荷分散処理部３４は、複数のＭＭＥ／ＳＧＷ４のＩＰアドレスのうちアクセス回線７に対応するＩＰアドレスを選択して呼制御部４０へ出力する。
【００７８】
呼制御部４０は、負荷分散処理部４４から取得したＩＰアドレスを呼制御部３０に通知する。呼制御部４０は、移動局３のU-planeベアラが設定される基地局２の呼制御部３０から、基地局２のＩＰアドレスを受信する。
【００７９】
パケット処理部４１は、移動局３へ送信するユーザデータを受信すると、負荷分散処理部４４から取得したＭＭＥ／ＳＧＷ４のＩＰアドレスを、送信元アドレスとしてユーザデータを格納するパケットのＩＰヘッダに設定する。また、パケット処理部４１は、基地局２のＩＰアドレスを送信先アドレスとしてＩＰヘッダに設定する。パケット処理部４１は、このパケットをＩＰＳｅｃＧＷ５の暗号化処理部４２へ送信する。
【００８０】
暗号化処理部４２は、受信したパケットを暗号化した後にＩＰヘッダを付与してパケットをカプセル化する。ＩＰＳｅｃＧＷ５には複数のＩＰアドレスが割り当てられており、ＭＭＥ／ＳＧＷ４のＩＰアドレスのそれぞれには、ＩＰＳｅｃＧＷ５の複数のＩＰアドレスのいずれかが対応付けられる。例えば、ＭＭＥ／ＳＧＷ４のＩＰアドレスとＩＰＳｅｃＧＷ５のＩＰアドレスとが一対一に対応付けられてよい。
【００８１】
暗号化処理部４２は、受信したパケットのヘッダ情報に設定されたＭＭＥ／ＳＧＷ４のＩＰアドレスに対応付けられるＩＰＳｅｃＧＷ５のアドレスを、カプセル化されたパケットに付与されるＩＰヘッダ内に送信元アドレスとして設定する。暗号化処理部４２は、ＭＭＥ／ＳＧＷ４のＩＰアドレスとＩＰＳｅｃＧＷ５のアドレスを対応付けるアドレス関連付けテーブルを記憶してよい。
【００８２】
図１３は、アドレス関連付けテーブル５４の一例の説明図である。アドレス関連付けテーブル５４は、情報要素「ＭＭＥ／ＳＧＷアドレス」、「ＩＰＳｅｃトンネル」及び「ＩＰＳｅｃＧＷアドレス」を有する。情報要素「ＭＭＥ／ＳＧＷアドレス」は、ＭＭＥ／ＳＧＷ４のＩＰアドレスを示す。情報要素「ＩＰＳｅｃＧＷアドレス」は、ＭＭＥ／ＳＧＷ４の各ＩＰアドレスに対応付けられるＩＰＳｅｃＧＷ５のＩＰアドレスを示す。情報要素「ＩＰＳｅｃトンネル」は、ＭＭＥ／ＳＧＷ４の各ＩＰアドレスをそれぞれ送信元アドレスとするパケットが転送されるＩＰＳｅｃトンネルの識別子を示す。
【００８３】
例えば、アドレス関連付けテーブル５４の第１行は、ＭＭＥ／ＳＧＷ４のＩＰアドレス「３０．０．０．１」を送信元アドレスとするパケットは、識別子「１」のＩＰトンネルで転送されることを示す。また、ＭＭＥ／ＳＧＷ４のＩＰアドレス「３０．０．０．１」はＩＰＳｅｃＧＷ５のＩＰアドレス「１０．０．０．１０１」に対応付けられる。
【００８４】
ルータ６のパケット転送部４３は、暗号化処理部４２がトンネル化したパケットの平文のＩＰヘッダに格納された情報に基づいて、アクセス回線７ａ、…７ｂの間でカプセル化されたパケットの転送を分散する負荷分散処理を行う。
【００８５】
また、基地局２からＭＭＥ／ＳＧＷ４へ移動局３のユーザデータを転送する場合に、暗号化処理部３２は、呼制御部４０から通知されたＭＭＥ／ＳＧＷ４のＩＰアドレスに対応するＩＰＳｅｃＧＷ５のＩＰアドレスを特定する。このため、暗号化処理部３２は図１３に示すアドレス関連付けテーブル５４と同様のテーブルを記憶してもよい。暗号化処理部３２は、特定したＩＰＳｅｃＧＷ５のＩＰアドレスを送信先アドレスとしてパケットのＩＰヘッダに設定する。パケット転送部３３は、暗号化処理部３２から受信したパケットの平文のＩＰヘッダに格納された情報に基づいてパケットの転送の負荷分散処理を行う。
【００８６】
図１４は、ＭＭＥ／ＳＧＷ４、ＩＰＳｅｃＧＷ５及びルータ６における動作の一例の説明図である。オペレーションＣＡにおいて、呼制御部４０は、基地局２の呼制御部３０とともに呼接続動作を開始する。呼制御部４０は、移動局３のユーザデータをＭＭＥ／ＳＧＷ４から送信する際に送信元アドレスとして使用するＭＭＥ／ＳＧＷ４のＩＰアドレスを、負荷分散処理部４４に照会する。
【００８７】
オペレーションＣＢにおいて、負荷分散処理部４４は、移動局３のユーザデータの転送に使用するアクセス回線７を決定する。オペレーションＣＣにおいて、アクセス回線７に対応するＩＰアドレスを決定し、ＭＭＥ／ＳＧＷ４のＩＰアドレスとして指定する。オペレーションＣＤにおいて呼制御部４０は、呼制御部３０との間でＭＭＥ／ＳＧＷ４のＩＰアドレスと基地局２のＩＰアドレスを交換する。オペレーションＣＥにおいて呼制御部４０は、呼接続動作の残りの動作を実行し呼接続動作を完了する。
【００８８】
移動局３へ送信するユーザデータが到来すると、オペレーションＣＦにおいてパケット処理部４１は、ユーザデータを格納するパケットのＩＰヘッダに、ＭＭＥ／ＳＧＷ４のＩＰアドレスを送信元アドレスとして設定する。暗号化処理部４２は、ＭＭＥ／ＳＧＷ４のＩＰアドレスに対応付けられるＩＰＳｅｃＧＷ５のアドレスを特定する。
【００８９】
オペレーションＣＧにおいて暗号化処理部４２は、パケットを暗号化した後、ＩＰＳｅｃＧＷ５のアドレスが送信元アドレスとして設定されたＩＰヘッダを付与してパケットをカプセル化する。オペレーションＣＨにおいて、パケット転送部４３は、カプセル化されたパケットのＩＰヘッダ情報に基づいて、このパケットの転送の分散処理を行う。
【００９０】
本実施例によれば、移動局３のユーザデータの転送において、１つのＩＰＳｅｃＧＷ５に割り当てた複数のＩＰアドレスを送信元アドレスや送信先アドレスとしてＩＰヘッダに設定することができる。このため、移動局３のユーザデータの転送を複数のアクセス回線で分散する負荷分散処理において、送信元アドレスや送信先アドレスとして指定されたＩＰＳｅｃＧＷ５のアドレスを利用する際に、ユーザデータの転送の負荷分散の効率が向上する。
【００９１】
なお、負荷分散処理部４４の上記動作は、図３に示すプロセッサ２０によって実行される。また、アドレス関連付けテーブル５４の記憶領域は、補助記憶装置２１又はメモリ２２内に設けられる。
【００９２】
以上の実施例を含む実施形態に関し、更に以下の付記を開示する。
（付記１）
移動局装置のユーザデータを複数の通信回線のいずれかで転送するデータ転送部と、
前記データ転送部によって識別可能な複数の識別子と前記複数の通信回線との間の対応付け情報を記憶する記憶部と、
前記移動局装置との通信開始時に、前記複数の通信回線の中から前記移動局装置のユーザデータを転送する通信回線を選択する回線選択部と、
前記回線選択部により選択された通信回線に前記対応付け情報で対応付けられる前記識別子を特定する識別子特定部と、
前記識別子特定部により特定された識別子を前記ユーザデータに加えて前記データ転送部へ出力する識別子付加部と、
を備えることを特徴とする通信装置。
（付記２）
回線選択部は、通信回線の状態に応じて前記移動局装置のユーザデータを転送する通信回線を選択する付記１に記載の通信装置。
（付記３）
回線選択部は、通信回線によるデータ転送が可能か否かに応じて前記移動局装置のユーザデータを転送する通信回線を選択する付記２に記載の通信装置。
（付記４）
回線選択部は、通信回線の負荷状態に応じて前記移動局装置のユーザデータを転送する通信回線を選択する付記２に記載の通信装置。
（付記５）
前記複数の識別子は、前記通信装置に割り当てられた複数のアドレスであることを特徴とする付記１〜４のいずれか一項に記載の通信装置。
（付記６）
前記識別子特定部により特定された前記通信装置のアドレスを、前記通信装置へ前記移動局装置のユーザデータを転送する他の通信装置へ、前記他の通信装置から前記移動局装置のユーザデータを転送するための宛先アドレスとして通知するアドレス通知部を備えることを特徴とする付記５に記載の通信装置。
（付記７）
ネットワークで接続される複数のコンピュータを備える通信システムであって、
移動局装置のユーザデータを複数の通信回線のいずれかで転送するデータ転送部と、
前記データ転送部によって識別可能な複数の識別子と前記複数の通信回線との間の対応付け情報を記憶する記憶部と、
前記移動局装置との通信開始時に、前記複数の通信回線の中から前記移動局装置のユーザデータを転送する通信回線を選択する回線選択部と、
前記回線選択部により選択された通信回線に前記対応付け情報で対応付けられる前記識別子を特定する識別子特定部と、
前記識別子特定部により特定された識別子を前記ユーザデータに加えて前記データ転送部へ出力する識別子付加部と、
を備えることを特徴とする通信システム。
（付記８）
移動局装置のユーザデータを複数の通信回線のいずれかで転送する負荷分散装置によって識別可能な複数の識別子と前記複数の通信回線との間の対応付け情報を、記憶装置に記憶し、
前記移動局装置との通信開始時に、前記複数の通信回線の中から前記移動局装置のユーザデータを転送する通信回線を選択し、
選択された前記通信回線に前記対応付け情報で対応付けられる前記識別子を特定し、
特定された前記識別子を前記ユーザデータに加えて負荷分散装置へ出力する、
ことを特徴とする通信方法。
【符号の説明】
【００９３】
１    通信システム
２    基地局
３、３ａ、３ｂ    移動局
４    ＭＭＥ／ＳＧＷ
５    ＩＰＳｅｃＧＷ
６    ルータ
７ａ、７ｂ    アクセス回線
３０、４０    呼制御部
３１    テーブル格納部
３２、４２    暗号化処理部
３３、４３    パケット転送部
３４、４４    負荷分散処理部
４１    パケット処理部
【図１】
2014057209.tif 000003
【図２】
2014057209.tif 000004
【図３】
2014057209.tif 000005
【図４】
2014057209.tif 000006
【図５】
2014057209.tif 000007
【図６】
2014057209.tif 000008
【図７】
2014057209.tif 000009
【図８】
2014057209.tif 000010
【図９】
2014057209.tif 000011
【図１０】
2014057209.tif 000012
【図１１】
2014057209.tif 000013
【図１２】
2014057209.tif 000014
【図１３】
2014057209.tif 000015
【図１４】
2014057209.tif 000016